(57)【特許請求の範囲】
【請求項１】
４方を囲繞する壁面の上端または下端に、それぞれ第１、第２、第３および第４のフラップを設け、これらを第１フラップから第４フラップまで順番に折り曲げて蓋をする段ボール箱において、
４個のフラップのうち第１フラップに、その突端縁から対応する壁面に向けて延びる被挿入部を設け、
前記第１フラップと重なる第４フラップに、その突端縁から対応する壁面に向けて延びるスリットを設け、該スリットの両側に、前記被挿入部から第１フラップの内面側に挿入される挿入部と、該挿入部より突出長さが短く前記第１フラップの外面側に位置する押圧部とを設け、
前記第１フラップから第３フラップを折り曲げた後、前記第４フラップを折り曲げるとともに前記挿入部を第１フラップの被挿入部から該第１フラップの内面側に挿入することにより、蓋をする構成とした段ボール箱。
【請求項２】
４方を囲繞する壁面の上端または下端に、それぞれ対向する第１，第３フラップおよび第２，第４のフラップを設け、これらフラップを折り曲げて蓋をする段ボール箱において、
４個のフラップのうち、少なくとも第１フラップに、第４フラップの側の突端縁から対応する壁面に向けて延びる被挿入部を設け、
前記第４フラップに、その突端縁から対応する壁面に向けて延びるスリットを設け、該スリットの両側に、前記被挿入部から第１フラップの内面側に挿入される挿入部と、該挿入部より突出長さが短く前記第１フラップの外面側に位置する押圧部とを設け、
対向する前記第１フラップおよび第３フラップの少なくとも一方に、前記第１フラップの被挿入部の縁を浮き上げる浮上手段を設け、
折り曲げた第１フラップの被挿入部の縁を前記浮上手段により浮き上げた状態で、前記第４フラップの挿入部を前記第１フラップの被挿入部から該第１フラップの内面側に挿入することにより、第４フラップの挿入部を除く部分で隣接する前記第１フラップおよび第３フラップの一側外面を重畳して蓋をする構成とした段ボール箱。
【請求項３】
前記浮上手段は、前記第１フラップに設けた指差穴からなり、該指差穴にユーザが指を差し込んで前記被挿入部の縁を浮き上げるようにしたことを特徴とする請求項２に記載の段ボール箱。
【請求項４】
前記被挿入部を第１フラップの両側に設けるとともに、前記挿入部と押圧部とを第１フラップの両側に隣接する第２，第４フラップにそれぞれ設け、前記指差穴を前記被挿入部の近傍にそれぞれ設けたことを特徴とする請求項３に記載の段ボール箱。
【請求項５】
前記第１，第３フラップの少なくとも一方に、他方のフラップに重畳させる突出部を設けたことを特徴とする請求項３または請求項４に記載の段ボール箱。
【請求項６】
前記浮上手段は、前記第１フラップおよび第３フラップをその端縁が重なり合う寸法に形成し、これら第１および第３フラップの少なくとも一方にその肉厚を切断して設けた打抜係止部からなり、該打抜係止部を対向するフラップの縁に係止して前記被挿入部の縁を浮き上げるようにしたことを特徴とする請求項２に記載の段ボール箱。
【発明の詳細な説明】
【０００１】
【発明の属する技術分野】
本発明は、ホットメルトやテープ止めなどの固着をすることなく蓋をする段ボール箱に関するものである。
【０００２】
【従来の技術】
この種の段ボール箱は、その上蓋が４方を囲繞する壁面の各端縁に設けたフラップにより構成されている。そのうち、固着することなく蓋をすることが可能な段ボール箱としては、例えば実公平１−１８５０１号で、対向する一対の第１フラップに差込孔を設け、第１フラップと隣接する一対の第２フラップに差込部を設けたものが提供されている。
【０００３】
この段ボール箱は、一対の第１フラップにより壁面の上部を覆った状態で、第２フラップを第１フラップ上に折り曲げ、一対の第１フラップの差込孔に各第２フラップの差込部を差し込むことにより閉鎖状態を維持するようになっている。
【０００４】
【発明が解決しようとする課題】
しかしながら、前記段ボール箱は、開閉を繰り返して何回も使用する所謂通い方式の輸送箱として適用されるため、使用する度に差込部が弱く軟質になり、使用できない状態になるという問題がある。具体的には、差込部の剛性が低下すると、蓋をした状態を保持する力が不足するため、蓋に浮き上がりが生じ、使用できない。
【０００５】
また、第２フラップの差込部を第１フラップの差込孔に差し込む際には、差込部を斜め下向きに差し込まなければならないため、差込部の先端が段ボール箱内に収容した物品に干渉し、作業性が悪いうえ、差込部は勿論、物品も損傷する可能性がある。
【０００６】
そこで、本発明では、フラップに与える損傷を抑制し、蓋をした状態を確実に維持できる段ボール箱を提供することを課題とするものである。
【０００７】
【課題を解決するための手段】
前記課題を解決するため、本発明の第１の段ボール箱は、４方を囲繞する壁面の上端または下端に、それぞれ第１、第２、第３および第４のフラップを設け、これらを第１フラップから第４フラップまで順番に折り曲げて蓋をする段ボール箱において、４個のフラップのうち第１フラップに、その突端縁から対応する壁面に向けて延びる被挿入部を設け、前記第１フラップと重なる第４フラップに、その突端縁から対応する壁面に向けて延びるスリットを設け、該スリットの両側に、前記被挿入部から第１フラップの内面側に挿入される挿入部と、該挿入部より突出長さが短く前記第１フラップの外面側に位置する押圧部とを設け、前記第１フラップから第３フラップを折り曲げた後、前記第４フラップを折り曲げるとともに前記挿入部を第１フラップの被挿入部から該第１フラップの内面側に挿入することにより、蓋をする構成としている。
この段ボール箱によれば、フラップによって蓋をする際には、第１フラップから第４フラップを順番に折り曲げ、第１フラップの被挿入部に第４フラップの挿入部を挿入するだけで蓋をすることができるため、作業性の向上を図ることができる。そして、この蓋をした状態では、各フラップは、隣接するフラップの上下に重畳した状態となるため、浮き上がりが防止され、確実に蓋をした状態を保持できる。
【０００８】
また、本発明の第２の段ボール箱は、４方を囲繞する壁面の上端または下端に、それぞれ対向する第１，第３フラップおよび第２，第４のフラップを設け、これらフラップを折り曲げて蓋をする段ボール箱において、４個のフラップのうち、少なくとも第１フラップに、第４フラップの側の突端縁から対応する壁面に向けて延びる被挿入部を設け、前記第４フラップに、その突端縁から対応する壁面に向けて延びるスリットを設け、該スリットの両側に、前記被挿入部から第１フラップの内面側に挿入される挿入部と、該挿入部より突出長さが短く前記第１フラップの外面側に位置する押圧部とを設け、対向する前記第１フラップおよび第３フラップの少なくとも一方に、前記第１フラップの被挿入部の縁を浮き上げる浮上手段を設け、折り曲げた第１フラップの被挿入部の縁を前記浮上手段により浮き上げた状態で、前記第４フラップの挿入部を前記第１フラップの被挿入部から該第１フラップの内面側に挿入することにより、第４フラップの挿入部を除く部分で隣接する前記第１フラップおよび第３フラップの一側外面を重畳して蓋をする構成としている。
この段ボール箱によれば、第１フラップの被挿入部に第４フラップの挿入部を挿入する際には、浮上手段により浮き上げた状態とすることができる。そのため、蓋をする作業性の向上を図ることができる。また、前記挿入作業は、第１フラップと略平行な水平方向で行うことができる。その結果、第１および第４フラップに損傷を与えることを抑制できるとともに、内部に収容した物品に損傷を与えることを防止することができる。
【０００９】
前記段ボール箱では、前記浮上手段は、前記第１フラップに設けた指差穴からなり、該指差穴にユーザが指を差し込んで前記被挿入部の縁を浮き上げるようにすることが好ましい。このようにすれば、簡単な構成で第１フラップにおける被挿入部の縁を浮き上げた状態に保持できる。
【００１０】
この場合、前記被挿入部を第１フラップの両側に設けるとともに、前記挿入部と押圧部とを第１フラップの両側に隣接する第２，第４フラップにそれぞれ設け、前記指差穴を前記被挿入部の近傍にそれぞれ設けた構成としてもよい。
【００１１】
また、前記第１，第３フラップの少なくとも一方に、他方のフラップに重畳させる突出部を設けることが好ましい。このようにすれば、第１フラップの内面側に第４フラップの挿入部を挿入することによる第１フラップの浮き上がりを抑制できる。
【００１２】
さらに、前記浮上手段は、前記第１フラップおよび第３フラップとをその端縁が重なり合う寸法に形成し、これら第１および第３フラップの少なくとも一方にその肉厚を切断して設けた打抜係止部からなり、該打抜係止部を対向するフラップの縁に係止して前記被挿入部の縁を浮き上げるようにしてもよい。ここで、前記肉厚を切断して設けた打抜係止部とは、切欠部やスリットを意味する。このようにすれば、第４フラップの挿入部を挿入する際には、一方の手のみで挿入することができる。
【００１３】
【発明の実施の形態】
以下、本発明の実施の形態を図面に従って説明する。
図１から図４は、第１実施形態に係る段ボール箱１を示す。この段ボール箱１は、ホットメルトやテープ止めなどの固着をすることなく蓋をする通い方式の輸送箱として使用されるもので、上蓋を構成する第１から第４のフラップ７Ａ〜７Ｄを順番に折り曲げて蓋をするものである。
【００１４】
この段ボール箱１は、例えば、図示しない紙器打抜装置によって段ボール紙を図４に示す連続した一枚の展開状態で打ち抜き、その打抜製品１’の所定位置を折り曲げるとともに貼着することにより形成される。なお、段ボール紙は、一対の表紙と裏紙との間に波状に連続する中しんを設けた周知のものである。
【００１５】
前記打抜製品１’は、図４（Ａ）に示すように、その幅が広い一対の壁面２Ａ，２Ｃと、幅が狭い一対の壁面２Ｂ，２Ｄとの４個の壁面２Ａ〜２Ｄが直線状に連続するように設けられている。これら壁面２Ａ〜２Ｄの各境界部分には、肉厚を圧縮するようにして形成した折曲線３が設けられている。
【００１６】
前記壁面２Ａ〜２Ｄのうち、図４（Ａ）中左側端に位置する第１の壁面２Ａには、逆側端に位置する第２の壁面２Ｂの縁に糊付けするための糊代部４が設けられている。この糊代部４と壁面２Ａとの境界部分には、折曲線５が設けられている。また、４個の壁面２Ａ〜２Ｄのうち、幅が狭い壁面２Ｂ，２Ｄの上側には、持上作業用の把持穴６が設けられている。
【００１７】
前記壁面２Ａ〜２Ｄの上端には、蓋をする際に順番に折り曲げる第１の上フラップ７Ａ、第２の上フラップ７Ｂ、第３の上フラップ７Ｃおよび第４の上フラップ７Ｄが設けられている。なお、本実施形態の打抜製品１’は、第１の上フラップ７Ａと第２の上フラップ７Ｂとが、糊代部４による貼着で隣接する形状とされている。また、これら上フラップ７Ａ〜７Ｄのうち、幅が広い上フラップ７Ａ，７Ｃは、その突端が組み立てた段ボール箱１の中央に位置する寸法とされている。即ち、その突出長さは、幅が狭い壁面２Ｂ，２Ｄの幅の略半分とされている。
【００１８】
前記上フラップ７Ａ〜７Ｄと対応する各壁面２Ａ〜２Ｄとの境界部分には、折曲線８が設けられている。
【００１９】
本実施形態では、前記上フラップ７Ａ〜７Ｄのうち、左側端に位置する第１の上フラップ７Ａには被挿入部９が設けられている。この被挿入部９は、右側に隣接する第４の上フラップ７Ｄの側において、その突端縁から対応する壁面２Ａに向けて延びるように設けた切り欠きからなる。また、上フラップ７Ａには、前記被挿入部９の下端から右側下端の隅部に向けて延びる折曲線１０が設けられている。さらに、この上フラップ７Ａには、その中央から被挿入部９の側寄りである右側に指差穴１１が設けられている。これら折曲線１０と指差穴１１は、この上フラップ７Ａにおいて、前記被挿入部９の縁を浮き上げる浮上手段を構成する。
【００２０】
また、組立状態において、前記第１の上フラップ７Ａと前記被挿入部９の側に隣接し、最後に折り曲げる第４の上フラップ７Ｄには、第１の上フラップ７Ａの側の縁から所定間隔をもって、突端縁から対応する壁面２Ｄに向けて延びるスリット１２が設けられている。そして、第４の上フラップ７Ｄでは、前記スリット１２の右側が前記被挿入部９から第１の上フラップ７Ａの内面側に挿入される挿入部１３を構成し、左側が第１の上フラップ７Ａの外面側に位置する押圧部１４を構成する。また、この第４の上フラップ７Ｄには、前記スリット１２の下端と折曲線８との間に位置するように、幅方向に延びる挿入作業用折曲線１５が設けられている。
【００２１】
なお、図４（Ｂ）に示すように、前記被挿入部９は、第４の上フラップ７Ｄの側に位置する側縁からの距離Ｌ１が、第４の上フラップ７Ｄの突出長さＬ２より短い位置とされている。また、前記被挿入部９における第１の上フラップ７Ａの突端縁からの切り込み長さＬ３と、前記挿入部１３における第４の上フラップ７Ｄの中央からの距離Ｌ４とは、被挿入部９の長さＬ３が若干大きくなるように形成されている。さらに、押圧部１４は、その突出長さを挿入部１３より短く形成されている。
【００２２】
さらに、前記壁面２Ａ〜２Ｄの下端には、下蓋を構成する第１から第４の下フラップ１６Ａ〜１６Ｄが設けられている。そのうち、幅が広い第１，第３の下フラップ１６Ａ，１６Ｃは内側フラップを構成し、幅が狭い第２，第４の下フラップ１６Ｂ，１６Ｄは外側フラップを構成する。これら下フラップ１６Ａ〜１６Ｄのうち、幅が広い内側の下フラップ１６Ａ，１６Ｃは、対応する上フラップ７Ａ，７Ｃと同様に、その突端が組み立てた段ボール箱１の中央に位置する寸法とされている。
【００２３】
これら下フラップ１６Ａ〜１６Ｄと対応する各壁面２Ａ〜２Ｄとの境界部分には、折曲線１７が設けられている。
【００２４】
前記内側フラップを構成する下フラップ１６Ａ，１６Ｃには、所定間隔をもって一対の差込係止穴１８が設けられている。これら差込係止穴１８は、略コ字形状に３辺を切断した舌片形状をなし、その連続部分には折曲線１９が設けられている。
【００２５】
また、外側フラップを構成する下フラップ１６Ｂ，１６Ｄには、その両側に前記差込係止穴１８を貫通して内方に差し込む一対の差込係止部２０が設けられている。これら差込係止部２０は、差込係止穴１８の外側縁に位置するように設けた切断線２０ａと、該切断線２０ａの内端から突端縁にかけて延びるように設けた折曲線２０ｂとからなる。
【００２６】
なお、前記打抜製品１’に形成する全ての折曲線３，５，８，１０，１５，１７，１９，２０ｂは、組立状態で内面側となる段ボール紙の裏紙の側が窪むように形成されている。
【００２７】
前記構成の段ボール箱１は、糊代部４を反対側に位置する第２の壁面２Ｂの縁に糊付けし、所定位置の折曲線３に沿って折り曲げ、２つに折り重ねた状態でユーザに供給される。
【００２８】
そして、ユーザが前記段ボール箱１を組み立てる際には、各壁面２Ａ〜２Ｄによって４方を矩形状に囲繞させた状態で、上下を逆向きとし、下フラップ１６Ａ，１６Ｃを折曲線１７に沿って折り曲げ、互いの突端縁を突き合わせる。
【００２９】
ついで、下フラップ１６Ｂ，１６Ｄに形成した各差込係止部２０を折曲線２０ａに沿って内側に折り曲げる。そして、これら下フラップ１６Ｂ，１６Ｄを折曲線１７に沿って折り曲げながら、下フラップ１６Ａ，１６Ｃの差込係止穴１８から前記差込係止部２０を内部に挿入する。
【００３０】
これにより、図３に示すように、外側の下フラップ１６Ｂ，１６Ｄと連続した各差込係止部２０が、内側の下フラップ１６Ａ，１６Ｃの内面側で広がり、下蓋を構成する。
【００３１】
なお、ユーザは、この状態で段ボール箱１内に希望の物品を収容する。そうすると、前記下蓋は、差込係止部２０上に物品が載置されることになり、内側の下フラップ１６Ａ，１６Ｃとの間に挟み込まれるため、抜け止めされる。その結果、この蓋をした状態を確実に維持できる。
【００３２】
一方、段ボール箱１の内部に所定の物品を収容し終え、上側を閉じる場合には、まず、被挿入部９を形成した第１の上フラップ７Ａを折曲線８に沿って内側に折り曲げる。
【００３３】
ついで、第２の上フラップ７Ｂを折曲線８に沿って内側に折り曲げる。これにより、この第２の上フラップ７Ｂは、第１の上フラップ７Ａの側が該上フラップ７Ａの外面に重畳する。
【００３４】
ついで、第２の上フラップ７Ｂと隣接する第３の上フラップ７Ｃを折曲線８に沿って内側に折り曲げる。これにより、この第３の上フラップ７Ｃは、第２の上フラップ７Ｂの側が該上フラップ７Ｂの外面に重畳する。
【００３５】
ついで、第３の上フラップ７Ｃと隣接する第４の上フラップ７Ｄを、折曲線８に沿って内側に折り曲げるとともに、挿入作業用折曲線１５に沿って内側に折り曲げる。そして、この状態で、第１の上フラップ７Ａに形成した指差穴１１に指を差し込み、この上フラップ７Ａを持ち上げることにより、第１の上フラップ７Ａにおける被挿入部９の縁を浮き上げる。
【００３６】
その後、図２に示すように、前記被挿入部９の縁から第１の上フラップ７Ａの内側に、第４の上フラップ７Ｄの挿入部１３を挿入する。そして、折り曲げた挿入作業用折曲線１５の頂部を下向きに押圧する。
【００３７】
これにより、第４の上フラップ７Ｄは、第３の上フラップ７Ｃの側が該上フラップ７Ｃの外面に重畳する。また、挿入部１３は、第１の上フラップ７Ａの内面に完全に挿入される。さらに、押圧部１４は、第１の上フラップ７Ａの外面に重畳する。
【００３８】
このように、本発明の段ボール箱１では、第１の上フラップ７Ａから第４の上フラップ７Ｄを順番に折り曲げ、第１の上フラップ７Ａの被挿入部９に第４の上フラップ７Ｄの挿入部１３を挿入することにより、ホットメルトやテープ止めなどの固着動作をすることなく、蓋をすることができる。
【００３９】
しかも、第４の上フラップ７Ｄの挿入部１３を第１の上フラップ７Ａの被挿入部９に挿入する際には、指差穴１１に指を差し込んで第１の上フラップ７Ａを浮き上がらせることにより、その挿入作業を簡単に行うことができる。
【００４０】
具体的には、挿入作業用折曲線１５により、挿入部１３の端を被挿入部９の縁に簡単に位置決めすることができる。しかも、押圧部１４は、その突出長さを挿入部１３より短く形成しているため、第１の上フラップ７Ａに干渉し、位置決めおよび挿入作業の妨げになることを防止できる。さらに、挿入部１３の挿入作業は、第１の上フラップ７Ａの浮き上げにより、該第１上フラップ７Ａと略平行な水平方向で行うことができる。
【００４１】
また、第１の上フラップ７Ａには、被挿入部９の端部に浮上手段を構成する折曲線１０を設けているため、第１の上フラップ７Ａを浮き上げた状態で、連続する側端が一緒に浮き上がることを防止できる。その結果、被挿入部９の縁を大きく浮き上げることができるため、より挿入作業性の向上を図ることができる。
【００４２】
そして、このように挿入作業性が向上されているため、この挿入作業で被挿入部９および挿入部１３に損傷を与えることを抑制できる。その結果、蓋を開閉する度に挿入部１３の剛性が低下し、蓋をした状態を保持する力が不足する状態になる問題を抑制できる。しかも、挿入部１３は略水平方向の移動で第１の上フラップ７Ａの内面側に挿入されるため、内部に収容した物品と干渉し、その物品に損傷を与えることも確実に防止できる。
【００４３】
なお、各上フラップ７Ａ〜７Ｄで蓋をした状態では、これら各上フラップ７Ａ〜７Ｄは、隣接する上フラップ７Ａ〜７Ｄの上下に重畳した状態となるため、浮き上がりが防止され、確実に蓋をした状態を保持できる。
【００４４】
また、このように蓋をした段ボール箱１を開ける際には、第４の上フラップ７Ｄの縁を外向きに押圧する。これにより、挿入作業用折曲線１５に沿って第４の上フラップ７Ｄを折り曲げながらスライドさせることにより、挿入部１３を被挿入部９から離脱させ、蓋をする作業時と逆の順番で各上フラップ７Ｄ〜７Ａを簡単に開くことができる。
【００４５】
図５から図７は第２実施形態の段ボール箱１を示す。
この第２実施形態では、第１の上フラップ７Ａの浮上手段の構成を変更した点で、前記第１実施形態と大きく相違している。
【００４６】
具体的には、図７（Ａ）に示すように、第２実施形態の段ボール箱１の打抜製品１’では、上蓋を構成する各上フラップ７Ａ〜７Ｄの突出長さは、組み立てた段ボール箱１において、幅が広い上フラップ７Ａ，７Ｃの突端縁が互いに重なり合う寸法に形成されている。
【００４７】
また、第１の上フラップ７Ａに形成する被挿入部９は、最後に折り曲げる第４の上フラップ７Ｄの側において、その突端縁から対応する壁面２Ａに向けて延びるように切り欠いた面取部からなる。また、上フラップ７Ａには、第１実施形態と同様に、前記被挿入部９の下端から右側下端の隅部に向けて延びる折曲線１０が設けられている。さらに、本実施形態では、図７（Ｂ）に示すように、上フラップ７Ａの端縁中央から壁面２Ａに向けて直交方向に延びる折曲線２１と、被挿入部９の下端から中央に向けて水平に延びる折曲線２２と、これらの交点から被挿入部９の上端隅部に向けて延びる折曲線２３とが設けられている。なお、折曲線２１および折曲線２２には、所定間隔をもってミシン目状に切断線２４が設けられている。また、この上フラップ７Ａには、段ボール紙の肉厚を略Ｖ字形状に切断した切欠部からなる打抜係止部２５が設けられている。この打抜係止部２５は、この上フラップ７Ａの被挿入部９の縁を浮き上げる浮上手段を構成する。
【００４８】
次に、第２実施形態の上フラップ７Ａ〜７Ｄによって蓋をする作業について説明する。この第２実施形態の段ボール箱１では、まず、第１実施形態と同様に、被挿入部９を形成した第１の上フラップ７Ａから第３の上フラップ７Ｃの順番で、これらフラップ７Ａ〜７Ｃを折曲線８に沿って内側に折り曲げる。
【００４９】
ついで、ユーザは、大きく面取りされた被挿入部９から内方に手を差し込み、第１の上フラップ７Ａにおける被挿入部９の縁を持ち上げる。そうすると、第１および第３の上フラップ７Ａ，７Ｃの縁が擦れながら、第１の上フラップ７Ａにおける被挿入部９の縁が第３の上フラップ７Ｃの縁より上側に位置する。また、前記打抜係止部２５が対向する第３の上フラップ７Ｃの縁に係合し、第１の上フラップ７Ａにおける被挿入部９の縁を浮き上げた状態を維持する。
【００５０】
その後、図６に示すように、第４の上フラップ７Ｄを、折曲線８に沿って内側に折り曲げるとともに、挿入作業用折曲線１５に沿って内側に折り曲げ、前記被挿入部９の縁から第１の上フラップ７Ａの内側に、第４の上フラップ７Ｄの挿入部１３を挿入する。そして、折り曲げた挿入作業用折曲線１５の頂部を下向きに押圧する。
【００５１】
これにより、第４の上フラップ７Ｄは、第１実施形態と同様に、第３の上フラップ７Ｃの側が該上フラップ７Ｃの外面に重畳する。また、挿入部１３は、第１の上フラップ７Ａの内面に略水平に移動して挿入される。さらに、押圧部１４は、第１の上フラップ７Ａの外面に重畳する。
【００５２】
このように、第２実施形態の段ボール箱１では、第１実施形態と同様に、第１の上フラップ７Ａから第４の上フラップ７Ｄを順番に折り曲げ、被挿入部９に第４の上フラップ７Ｄの挿入部１３を挿入することにより、ホットメルトやテープ止めなどの固着をすることなく、蓋をすることができる。
【００５３】
しかも、第４の上フラップ７Ｄの挿入部１３を第１の上フラップ７Ａの被挿入部９に挿入する際には、打抜係止部２５と第３の上フラップ７Ｃとの係合により、第１の上フラップ７Ａを浮き上がらせ、一方の手のみで挿入作業を簡単に行うことができる。その結果、蓋を開閉する度に挿入部１３の剛性が低下し、蓋をした状態を保持する力が不足する状態になる問題を抑制できる。
【００５４】
なお、この第２実施形態では、第１の上フラップ７Ａにおける挿入部１３上に位置する領域に、切断線２４を設けた折曲線２１および折曲線２２と、これらと被挿入部９とで囲繞した領域の対角線上に延びる折曲線２３が設けられている。そのため、この第２実施形態の上フラップ７Ａ〜７Ｄで蓋をした状態では、前記囲繞領域は、折曲線２３に沿って折れ曲がった稜線が頂部に位置するように逆Ｖ字形状をなす。そのため、段ボール紙自体の剛性で、第４の上フラップ７Ｄに上向きに浮き上がる力が作用しても、その力に対抗して蓋に浮き上がりが生じることを確実に防止できる。
【００５５】
図８から図１０は、第３実施形態の段ボール箱１を示す。
この第３実施形態の段ボール箱１は、材料費の削減のため、上フラップ７Ａ〜７Ｄの突出量を略半分としたショートフラップにより構成し、被挿入部９、挿入部１３および押圧部１４の構成を下フラップ１６Ａ〜１６Ｄに設けた点で大きく相違している。また、これら下フラップ１６Ａ〜１６Ｄは、長尺な下フラップ１６Ａ，１６Ｃにより構成する内側フラップを折り曲げた後、短尺な下フラップ１６Ｂ，１６Ｄにより構成する外側フラップを折り曲げて蓋をする構成のものである。
【００５６】
具体的には、第３実施形態の段ボール箱１の打抜製品１’は、図１０に示すように、左側より第３，第２，第１，第４の壁面２Ｃ，２Ｂ，２Ａ，２Ｄが連続するように設けられ、第３の壁面２Ｃに、第４の壁面２Ｄと糊付けするための糊代部４が連続するように設けられている。
【００５７】
そして、被挿入部９は、図１０中右側に位置する長尺な第１下フラップ１６Ａの両側に、第１実施形態と同一構成でそれぞれ設けられている。この被挿入部９の近傍には、それぞれ指差穴１１が設けられている。また、本実施形態では、第１下フラップ１６Ａの中央に、対向する第３下フラップ１６Ｃの縁に重畳する突出部３０が設けられている。
【００５８】
前記挿入部１３および押圧部１４は、前記第１下フラップ１６Ａの両側に隣接する第２，第４の下フラップ１６Ｂ，１６Ｄに、その突端縁から対応する壁面２Ｂ，２Ｄに向けて延びるスリット１２を設けることにより、該スリット１２の両側に設けられている。また、これら第２，第４の下フラップ１６Ｂ，１６Ｄには、第１実施形態と同様の挿入作業用折曲線１５が設けられている。
【００５９】
なお、第３実施形態の上フラップ７Ａ〜７Ｄは、短尺な第２，第４フラップ７Ｂ，７Ｄの両側に、その突端縁から対応する壁面２Ｂ，２Ｄに向けて延びるスリット３１が設けられている。また、長尺な第１，第３フラップ７Ａ，７Ｃは、その両側部が切り欠きが設けられ、その間に前記スリット３１からフラップ７Ｂ，７Ｄの内面に挿入係止する挿入部３２が設けられている。
【００６０】
この第３実施形態の段ボール箱１を使用する場合には、例えば、まず、上フラップ７Ａ〜７Ｄにより壁面２Ａ〜２Ｄの上縁を囲うように蓋をする。具体的には、短尺な第２，第４の上フラップ７Ｂ，７Ｄを折曲線８に沿って折り曲げた後、長尺な第１，第３の上フラップ７Ａ，７Ｃを折り曲げる。そして、これら上フラップ７Ａ，７Ｃが上フラップ７Ｂ，７Ｄの外面に重畳すると、更に下向きに押圧する。これにより、上フラップ７Ｂ，７Ｄにおけるスリット３１の両外側部を撓ませながら、上フラップ７Ａ，７Ｃが下向きに傾斜され、図８に示すように、スリット３１からフラップ７Ｂ，７Ｄの内面に挿入係止される。
【００６１】
このようにして上フラップ７Ａ〜７Ｄで蓋をすると、ついで、下フラップ１６Ａ〜１６Ｄの側を上向きとし、内部に長ネギなどの物品を収容する。
【００６２】
そして、所定量の物品を収容し終えると、まず、前記第１の下フラップ１６Ａを折曲線１７に対して折り曲げた後、対向する第３の下フラップ１６Ｃを同様にして折り曲げる。これにより、第３の下フラップ１６Ｃの中央突端縁は、第１の下フラップ１６Ａに設けた突出部３０の外面に重畳される。
【００６３】
ついで、第１，第３の下フラップ１６Ａ，１６Ｃと隣接する一方の第２の下フラップ１６Ｂを、折曲線１７に沿って内側に折り曲げるとともに、挿入作業用折曲線１５に沿って内側に折り曲げる。そして、この状態で、第１の下フラップ１６Ａに形成した第２の下フラップ１６Ｂの側の指差穴１１に指を差し込み、下フラップ１６Ａを持ち上げることにより、第１の下フラップ１６Ａにおける第２の下フラップ１６Ｂの側の被挿入部９の縁を浮き上げる。
【００６４】
その後、被挿入部９の縁から第１の下フラップ１６Ａの内側に、第２の下フラップ１６Ｂの挿入部１３を挿入する。そして、折り曲げた挿入作業用折曲線１５の頂部を下向きに押圧する。
【００６５】
これにより、第２の下フラップ１６Ｂは、第３の下フラップ１６Ｃの側が該下フラップ１６Ｃの外面に重畳する。また、挿入部１３は、第１の下フラップ１６Ａの内面に完全に挿入される。さらに、押圧部１４は、第１の下フラップ１６Ａの外面に重畳する。
【００６６】
ついで、第１，第３の下フラップ１６Ａ，１６Ｃと隣接する他方の第４の下フラップ１６Ｄを、折曲線１７に沿って内側に折り曲げるとともに、挿入作業用折曲線１５に沿って内側に折り曲げる。そして、この状態で、第１の下フラップ１６Ａに形成した第４の下フラップ１６Ｄの側の指差穴１１に指を差し込み、下フラップ１６Ａを持ち上げることにより、第１の下フラップ１６Ａにおける第４の下フラップ１６Ｄの側の被挿入部９の縁を浮き上げる。
【００６７】
その後、被挿入部９の縁から第１の下フラップ１６Ａの内側に、第４の下フラップ１６Ｄの挿入部１３を挿入する。そして、折り曲げた挿入作業用折曲線１５の頂部を下向きに押圧する。
【００６８】
これにより、第４の下フラップ１６Ｄは、第３の下フラップ１６Ｃの側が該下フラップ１６Ｃの外面に重畳する。また、挿入部１３は、第１の下フラップ１６Ａの内面に完全に挿入される。さらに、押圧部１４は、第１の下フラップ１６Ａの外面に重畳する。
【００６９】
このように、第３実施形態の段ボール箱１では、内側フラップを構成する下フラップ１６Ａ，１６Ｃを折り曲げた後、外側フラップを構成する下フラップ１６Ｂ，１６Ｄを折り曲げ、第１の下フラップ１６Ａの被挿入部９に、隣接する第２，第４の下フラップ１６Ｂ，１６Ｄの挿入部１３を挿入することにより、ホットメルトやテープ止めなどの固着動作をすることなく、蓋をすることができる。
【００７０】
しかも、第２，第４の下フラップ１６Ｂ，１６Ｄの挿入部１３を第１の下フラップ１６の被挿入部９に挿入する際には、指差穴１１に指を差し込んで第１の下フラップ１６Ａを浮き上がらせることにより、その挿入作業を簡単に行うことができる。
【００７１】
そして、前記挿入作業は、第１の下フラップ１６Ａと略平行な水平方向で行うことができるため、第１，第２および第４の下フラップ１６Ａ，１６Ｂ，１６Ｄに損傷を与えることを抑制できるとともに、内部に収容した長ネギなどの物品に損傷を与えることを防止することができる。
【００７２】
また、本実施形態では、前記第１の下フラップ１６Ａに、対向する第３の下フラップ１６Ｃに重畳する突出部３０が設けられているため、図９に示すように、第１の下フラップ１６Ａの内面側に第２，第４の下フラップ１６Ｂ，１６Ｄの挿入部１３を挿入しても、第１の下フラップ１６Ａが外側に浮き上がることを抑制できる。
【００７３】
なお、前記段ボール箱１に物品を収容し終えると、上フラップ７Ａ〜７Ｄの側が上側に位置するようにして搬送される。この際においても、前記第１の下フラップ１６Ａに設けた突出部３０が第３の下フラップ１６Ｃに重畳しているため、第１の下フラップ１６Ａに加わる重量を第３の下フラップ１６Ｃに分散し、第１の下フラップ１６Ａと第２，第４の下フラップ１６Ｂ，１６Ｄとの係止が解除される問題を防止できる。即ち、所謂底が抜けるという問題が生じることを防止できる。
【００７４】
本発明の段ボール箱１は、前記各実施形態の構成に限定されるものではない。例えば、第１実施形態では、幅が広い上フラップ７Ａ，７Ｃは、その突端が組み立てた段ボール箱１の中央に位置する寸法とし、上部を完全に覆った状態で蓋をしたが、図１１に示すように、壁面２Ａ〜２Ｄの上縁のみを覆い、中央部から内部を露出させる構成としてもよく、このようにしても、前記と同様の作用、効果を得ることができる。この場合、挿入作業用折曲線１５は、必ずしも設ける必要はない。
【００７５】
また、前記第２実施形態では、浮上手段を構成する打抜係止部２５を第１の上フラップ７Ａに設けたが、第３の上フラップ７Ｃに設けてもよく、また、第１および第３の上フラップ７Ａ，７Ｃの両方に設けてもよい。
【００７６】
さらに、第２実施形態では、浮上手段を構成する打抜係止部２５を切欠部により構成したが、所定間隔で打ち抜いた溝状のスリットまたは切断線からなるスリットにより構成してもよい。
【００７７】
さらにまた、第３実施形態では、第１の下フラップ１６Ａの両側に被挿入部９を設け、隣接する第２，第４の下フラップ１６Ｂ，１６Ｄに挿入部１３および押圧部１４を設けたが、第１の下フラップ１６Ａには、第４の下フラップ１６Ｄと隣接する側にのみ被挿入部９を設けるとともに、第３の下フラップ１６Ｃに、第２の下フラップ１６Ｂと隣接する側に被挿入部９を設け、第２の下フラップ１６Ｂに第３の下フラップ１６Ｃの被挿入部９に挿入する挿入部１３および押圧部１４を設ける構成としてもよい。
【００７８】
また、前記各実施形態では、浮上手段は、折曲線１０と、指差穴１１または打抜係止部２５とで構成したが、前記折曲線１０は必ずしも設ける必要はない。
【００７９】
【発明の効果】
以上の説明から明らかなように、本発明の段ボール箱は、第１フラップの被挿入部に第４フラップの挿入部を挿入するだけで蓋をすることができるため、作業性の向上を図ることができる。そして、挿入作業は、浮上手段によって第１フラップを浮き上げた状態で行うことができるため、その挿入方向を第１フラップと略平行な水平方向とすることができる。その結果、第１および第４フラップに損傷を与えることを抑制できるとともに、内部に収容した物品に損傷を与えることを防止することができる。
【００８０】
例えば、浮上手段として第１フラップに指差穴を設け、第１フラップの被挿入部に第４フラップの挿入部を挿入する際に、被挿入部の縁を浮き上げることができるようにしているため、簡単な構成で第１および第４フラップに損傷を与えることを抑制したうえで、蓋をする作業性をより向上できる。
【図面の簡単な説明】
【図１】  本発明の第１実施形態の段ボール箱を示す斜視図である。
【図２】  被挿入部に挿入部を挿入する状態を示す斜視図である。
【図３】  段ボール箱の下蓋を示す斜視図である。
【図４】  （Ａ）は第１実施形態の段ボール箱の展開状態を示す平面図、（Ｂ）は（Ａ）の一部を示す拡大平面図である。
【図５】  第２実施形態の段ボール箱を示す斜視図である。
【図６】  被挿入部に挿入部を挿入する状態を示す斜視図である。
【図７】  （Ａ）は第２実施形態の段ボール箱の展開状態を示す平面図、（Ｂ）は（Ａ）の一部を示す拡大平面図である。
【図８】  第３実施形態の段ボール箱を上方から見た状態を示す斜視図である。
【図９】  第３実施形態の段ボール箱を下方から見た状態を示す斜視図である。
【図１０】  第３実施形態の段ボール箱の展開状態を示す平面図である。
【図１１】  段ボール箱の変形例を示す斜視図である。
【符号の説明】
１…段ボール箱、２Ａ〜２Ｄ…壁面、６…把持穴、７Ａ〜７Ｄ…上フラップ、９…被挿入部、１１…指差穴、１２…スリット、１３…挿入部、１４…押圧部、１５…挿入作業用折曲線、１６Ａ〜１６Ｄ…下フラップ。
【図１】
0003866122.tif 000002
【図２】
0003866122.tif 000003
【図３】
0003866122.tif 000004
【図４】
0003866122.tif 000005
【図５】
0003866122.tif 000006
【図６】
0003866122.tif 000007
【図７】
0003866122.tif 000008
【図８】
0003866122.tif 000009
【図９】
0003866122.tif 000010
【図１０】
0003866122.tif 000011
【図１１】
0003866122.tif 000012